(57)【要約】【課題】冬季や寒冷地であっても配管内の水の凍結による作動不良や破裂を防止できる信頼性の高い減圧開放型一斉開放弁を用いる消火設備を提供する。【解決手段】弁箱１の二次側室２とシリンダ室７を連通させるバイパス管１７を設け、このバイパス管１７の途中に常閉型の電動弁１８を設ける。常時は二次側室３を大気圧で閉塞状態にしておき、火災感知器１９の作動により電動弁１８が開作動してシリンダ室７の圧力が減少すると弁体５が開放し、一次側室２から消火液が連通孔４を介して二次側室３へ流入することにより二次側配管１６内を加圧充水状態とする。しかる後、二次側配管１６に取り付けられた閉鎖型スプリンクラーヘッドの感熱部が火災時に発生する熱により溶解し、該スプリンクラーヘッドから消火液が放出される。【選択図】    図１
2005000508.tif 000002
【特許請求の範囲】
【請求項１】
弁箱の内部に、一次側室と二次側室とが連通孔を挟んで形成されるとともに、前記連通孔を開閉する弁体が内蔵され、前記一次側室内の前記弁体の上方にシリンダ室が設けられ、このシリンダ室内には、前記弁体の上部に一体に設けられた、該弁体より受圧面積の大きなピストンが内蔵されている、減圧開放型一斉開放弁を用いる消火設備において、
前記二次側室と前記圧力室を連通させるバイパス管を設け、このバイパス管の途中に常閉型の電動弁を設けており、
前記二次側室は大気圧で閉塞状態にされており、火災感知器の作動により前記電動弁を開作動させて前記シリンダ室の圧力を減少させることにより前記弁体を開放させて一次側室から二次側室へ消火液を流し込むことで二次側配管内を充水加圧状態とした後、二次側配管に取り付けられた、熱溶解可能な感熱部を有する閉鎖型スプリンクラーヘッドの前記感熱部が火災時の熱を受けて溶解することにより該スプリンクラーヘッドから消火液が放出するようにしてあることを特徴とする、減圧開放型一斉開放弁を用いる消火設備。
【請求項２】
弁箱の内部に、一次側室と二次側室とが連通孔を挟んで形成されるとともに、前記連通孔を開閉する弁体が内蔵され、前記一次側室内の前記弁体の上方にシリンダ室が設けられ、このシリンダ室内には、前記弁体の上部に一体に設けられた、該弁体より受圧面積の大きなピストンが内蔵されている、減圧開放型一斉開放弁を用いる消火設備において、
前記二次側室と前記圧力室を連通させるバイパス管を設け、このバイパス管の途中に常閉型の電動弁を設けており、
前記二次側室は微小加圧された加圧空気の充填で閉塞状態にされており、二次側配管に取り付けられた、熱溶解可能な感熱部を有する閉鎖型スプリンクラーヘッドの前記感熱部が火災時の熱を受けて溶解し、この溶解により二次側配管内の圧力が低下するのを圧力センサーで感知し、この感知信号により前記電動弁が開作動して前記シリンダ室の圧力が減少することにより前記弁体が開放し、一次側室から二次側室へ流れ込む消火液が前記閉鎖型スプリンクラーヘッドから放出するようにしてあることを特徴とする、減圧開放型一斉開放弁を用いる消火設備。
【請求項３】
前記電動弁とシリンダ室間のバイパス管の途中には、圧力調整を行うパイロット弁を設けている、請求項１又は２記載の減圧開放型一斉開放弁を用いる消火設備。
【発明の詳細な説明】
【０００１】
【発明の属する技術分野】
本発明は、減圧開放型一斉開放弁を用いる泡消火設備や水噴霧消火設備に関する。
【０００２】
【従来の技術】
この種の消火設備に用いられる減圧開放型一斉開放弁は、弁箱の内部に一次側室と二次側室とが連通孔を挟んで形成されるとともに、前記連通孔を開閉する弁体が内蔵され、前記一次側室内の前記弁体より上方にシリンダ室（またはピストン室）が設けられ、シリンダ室内には弁体より受圧面積の大きなピストンがあり、常時は一次側圧力によって弁体を弁座に押さえつけ、前記連通孔を閉止状態に保持している。前記シリンダ室は火災感知ラインに接続されており、火災感知ラインに取り付けた感知ヘッドの作動によって火災感知ラインが減圧状態になったときシリンダ室の圧力が減少することにより、弁体が開放し、一次側室から二次側室へ消火液が流れるようになっている（例えば、特許文献１参照。）。
【０００３】
【特許文献１】
特開２００２−３２０６８７号公報（
【従来の技術】の欄、図６）
【０００４】
【発明が解決しようとする課題】
しかるに、上記減圧開放型一斉開放弁の火災感知ラインの配管内は充水されているため、冬季や寒冷地では、駐車場の泡消火設備等において火災感知ラインの配管内の充水が凍結し、火災時に有効な消火作動ができない恐れがあり、また配管が凍結膨張により破裂する恐れがあった。
【０００５】
本発明は、このような問題を解消するためになされたものであり、その目的とするところは、冬季や寒冷地であっても配管内の水の凍結による作動不良や破裂を防止できる信頼性の高い減圧開放型一斉開放弁を用いる消火設備を提供することにある。
【０００６】
【課題を解決するための手段】
本発明の請求項１に係る発明は、弁箱の内部に、一次側室と二次側室とが連通孔を挟んで形成されるとともに、前記連通孔を開閉する弁体が内蔵され、前記一次側室内の前記弁体の上方にシリンダ室が設けられ、このシリンダ室内には、前記弁体の上部に一体に設けられた、該弁体より受圧面積の大きなピストンが内蔵されている、減圧開放型一斉開放弁を用いる消火設備において、前記二次側室と前記圧力室を連通させるバイパス管を設け、このバイパス管の途中に常閉型の電動弁を設けており、前記二次側室は大気圧で閉塞状態にされており、火災感知器の作動により前記電動弁を開作動させて前記シリンダ室の圧力を減少させることにより前記弁体を開放させて一次側室から二次側室へ消火液を流し込むことで二次側配管内を充水加圧状態とした後、二次側配管に取り付けられた、熱溶解可能な感熱部を有する閉鎖型スプリンクラーヘッドの前記感熱部が火災時の熱を受けて溶解することにより該スプリンクラーヘッドから消火液が放出するようにしてあることに特徴を有するものである。
【０００７】
請求項２に係る発明は、弁箱の内部に、一次側室と二次側室とが連通孔を挟んで形成されるとともに、前記連通孔を開閉する弁体が内蔵され、前記一次側室内の前記弁体の上方にシリンダ室が設けられ、このシリンダ室内には、前記弁体の上部に一体に設けられた、該弁体より受圧面積の大きなピストンが内蔵されている、減圧開放型一斉開放弁を用いる消火設備において、前記二次側室と前記圧力室を連通させるバイパス管を設け、このバイパス管の途中に常閉型の電動弁を設けており、前記二次側室は微小加圧された加圧空気の充填で閉塞状態にされており、二次側配管に取り付けられた、熱溶解可能な感熱部を有する閉鎖型スプリンクラーヘッドの前記感熱部が火災時の熱を受けて溶解し、この溶解により二次側配管内の圧力が低下するのを圧力センサーで感知し、この感知信号により前記電動弁が開作動して前記シリンダ室の圧力が減少することにより前記弁体が開放し、一次側室から二次側室へ流れ込む消火液が前記閉鎖型スプリンクラーヘッドから放出するようにしてあることに特徴を有するものである。
【０００８】
請求項１又は２に記載の減圧開放型一斉開放弁を用いる消火設備において、請求項３記載の発明のように、上記電動弁とシリンダ室間のバイパス管の途中には、圧力調整を行うパイロット弁を設けることができる。
【０００９】
【発明の作用・効果】
請求項１に係る発明によれば、減圧開放型一斉開放弁が二次側室とシリンダ室にバイパス管を設け、このバイパス管の途中に電動弁を設け、火災感知器の作動によって電動弁を開作動させてシリンダ室内の圧力を減少させることにより弁体が開放するようにしてあるので、従来の減圧開放型一斉開放弁のごとき充水感知ラインを必要とせず、したがって冬季や寒冷地であっても感知ライン配管内の水の凍結による作動不良や破裂の問題を解消できることになる。
【００１０】
また、二次側室は大気圧で閉塞状態にされており、火災感知器の作動により電動弁を開作動させてシリンダ室の圧力を減少させることにより弁体を開放させて二次側配管内を充水加圧状態とした後、二次側配管に取り付けられた閉鎖型スプリンクラーヘッドの感熱部が火災時の熱を受けて溶解され、消火液が放出されるようにしたことで、閉鎖型スプリンクラーヘッドの感熱部が溶解すると同時に消火液が瞬時に放出することが可能となり、また非火災時に万一配管の破損事故に遭遇しこの破損により空隙部が発生しても、火災感知器が火災の発生を感知しない限り、消火液が放出される誤放出も無くなる。
【００１１】
請求項２に係る発明によれば、微小加圧された加圧空気の充填で閉塞状態にされている二次側配管内の圧力が低下するのを圧力センサーで感知し、この感知信号により電動弁が開作動してシリンダ室内の圧力を減少させることにより弁体が開放するようにしてあるので、請求項１記載の発明の場合と同様に、従来の減圧開放型一斉開放弁のごとき充水感知ラインを必要とせず、したがって冬季や寒冷地であっても感知ライン配管内の水の凍結による作動不良や破裂の問題を解消できる。
【００１２】
とくに、請求項２に係る発明では、常時は二次側室は微小加圧された加圧空気の充填で閉塞状態にされており、二次側配管に取り付けられた閉鎖型スプリンクラーヘッドの感熱部が火災時の熱を受けて溶解し、この溶解により二次側配管内の圧力が低下するのを圧力センサーで感知し、この感知信号により電動弁が開作動するようにしたことで、つまり常時は二次側配管内を充水状態としないため、冬季や寒冷地であっても二次側配管の凍結の心配も無くなる。
【００１３】
【発明の実施の形態】
本発明に係る減圧開放型一斉開放弁を用いる消火設備の好適な実施形態を図面に基づき説明する。図１は第１実施例の消火設備に用いる一斉開放弁を閉止状態で示す断面図、図２は第２実施例の消火設備に用いる一斉開放弁を閉止状態で示す断面図である。
【００１４】
（第１実施例）
図１において、本発明に係る消火設備に用いる減圧開放型一斉開放弁は、弁箱１の内部に一次側室２と二次側室３とが連通孔４を挟んで形成されるとともに、連通孔４を開閉する弁体５が内蔵される。図示例の弁体５は弁棒６の下端寄り中途部に一体の小弁５ａと、小弁５ａの下部の弁棒６に挿通された大弁５ｂの二つからなり、小流量時には小弁５ａのみ開放してハンチングを防止し、大流量時に大弁５ｂと小弁５ａが開放するものとしてなるが、単弁であってもよい。一次側室２において弁体５の上方にはシリンダ室７が設けられ、シリンダ室７内には弁体５より受圧面積の大きなピストン８が内蔵されるが、このピストン８はシリンダ室７の底部中央孔９に貫通される弁棒６の上端部に一体に形成されている。シリンダ室７の底部には一次側室２とシリンダ室７とを連通するための小さい通孔１０を形成するとともに、ピストン８にも小さい通孔１１を形成している。したがって、常時はピストン８の上面に受ける一次側の泡水溶液等の圧力水によって弁体５を連通孔４の周辺の弁座１２に押さえつけ、連通孔４を閉止状態に保持している。
【００１５】
一次側室２の入口１３は、加圧送水装置（図示せず）に一次側配管１４を介して接続され、二次側室３の出口１５には二次側配管１６が接続され、二次側配管１６には熱溶解可能な感熱部（ヒュージブルリンクまたはグラスバルブ）及びシール機構を有する周知の閉鎖型スプリンクラーヘッド（図示せず）が取り付けられる。
【００１６】
上記構成の一斉開放弁において、本発明は、シリンダ室７と二次側室３を連通するバイパス管１７を設け、このバイパス管１７の途中に電動ボール弁等による常閉型の電動弁１８を設け、常時は電動弁１８にてバイパス管１７の途中を閉止状態にし、電動弁１８が火災の発生を感知する火災感知器１９が発する火災信号を制御盤２０を介して受けると開作動し、これによりシリンダ室７内の消火液（圧力水）がバイパス管１７を介して二次側室３に流出しシリンダ室７内の圧力が減少することにより、弁体５が開放し、消火液が一次側室２から二次側室３へ連通孔４を介して流れるようにしてある。なお、電動弁１８とシリンダ室７間のバイパス管１７の途中には、必要に応じて、圧力調整を行うパイロット弁２１を設ける。
【００１７】
そして、常時は二次側室３を大気圧で閉塞状態にしておき、火災発生時に前述のように火災感知器１９の作動により電動弁１８が開作動してシリンダ室７の圧力が減少すると弁体５が開放し、一次側室２から消火液が二次側室３へ流入することにより二次側配管１６内を加圧充水状態とする。しかる後、二次側配管１６に取り付けられた閉鎖型スプリンクラーヘッドの感熱部が火災時に発生する熱により溶解して該ヘッドのシール機構が分解し、放水口が開放されて消火液が放出するようにしたものである。
【００１８】
上記構成の消火設備によれば、火災発生時に火災感知器１９の作動により予め二次側配管１６内を加圧充水状態にしておく方式であるので、二次側配管１６に取り付けられた閉鎖型スプリンクラーヘッドの感熱部が溶解すると同時に消火液を瞬時に放出することが可能となり、また非火災時に万一配管の破損事故に遭遇しこの破損により空隙部が発生しても、火災感知器１９が火災の発生を感知しない限り、消火液が放出されるという誤放出も無くなった。
【００１９】
（第２実施例）
図２は第２実施例を示す。第２実施例においても減圧開放型一斉開放弁それ自体は第１実施例のものと同様のものを用いる。第１実施例では電動弁１８を火災感知器１９からの信号により開作動させ、電動弁１８の開作動により二次側配管１６内を加圧充水状態にした後、閉鎖型スプリンクラーヘッドの感熱部が火災熱により溶解して該ヘッドの放水口から消火液が放出するようにしてある。これに対して、第２実施例では、常時は二次側室３を微小加圧された加圧空気の充填で閉塞状態にしておき、火災発生時には二次側配管１６に取り付けられた閉鎖型スプリンクラーヘッドの感熱部が火災発生熱により溶解して該ヘッドのシール機構が分解し、この分解により二次側配管１６内の圧力が低下するのを圧力センサー２２で感知し、電動弁１８が圧力センサー２２の感知信号を制御盤２０を介して受けることにより開作動してシリンダ室７の圧力が減少し、これにより弁体５が開放し、一次側室２から二次側室３へ流れ込む消火液が閉鎖型スプリンクラーヘッドのシール機構分解により開放された放水口から放出するようにしたものである。
【００２０】
この第２実施例の消火設備によれば、常時は二次側配管１６内に空気を加圧充填して充水状態とはしないため、冬季や寒冷地であっても二次側配管１６の凍結の心配も無くなった。
【図面の簡単な説明】
【図１】第１実施例の消火設備に用いる一斉開放弁を閉止状態で示す断面図である。
【図２】第２実施例の消火設備に用いる一斉開放弁を閉止状態で示す断面図である。
【符号の説明】
１  弁箱
２  一次側室
３  二次側室
４  連通孔
５  弁体
６  弁棒
７  シリンダ室
８  ピストン
１６  二次側配管
１７  バイパス管
１８  電動弁
１９  火災感知器
２１  パイロット弁
２２  圧力センサー
【図１】
2005000508.tif 000003
【図２】
2005000508.tif 000004